(57)【特許請求の範囲】
【請求項１】
地下構造物のボルト端部にキャップを取り付け、外力からボルトを保護するようにした装置であって、ボルト端部に捩じ入れキャップの取り付け位置を決める内方ナットと、ボルト端部に嵌める透孔を持ち、内方ナット又は外方ナットの係合部との係合により透孔の中心をボルトの軸心に一致させる心出し部並びにキャップの内側に嵌まり込んでキャップを固定する固定部を具備したキャップホルダーと、内方ナットとの間でキャップホルダーを挟んで固定するためボルト端部に捩じ入れた外方ナットと、ボルト端部を覆ってキャップホルダーの固定部に固定される前記キャップとから成ることを特徴とする地下構造物用ボルト端部の保護装置。
【請求項２】
キャップホルダーは、キャップの固定が可能な程度の板厚を有する金属板材を打ち抜き加工することにより、透孔と心出し部及び固定部を形成したもので、心出し部と固定部が複数個、交互に配置されている請求項１記載の地下構造物用ボルト端部の保護装置。
【発明の詳細な説明】
【０００１】
【発明の属する技術分野】
本発明は、ボルト端部にキャップを取り付け、外力からボルトを保護するようにした地下構造物用ボルト端部の保護装置に関するものである。
【０００２】
【従来の技術】
例えば地下構造物の構築の際、マンホールを設置する工事において、埋め戻しのためにランマー等を使用すると、ボルトの端部を叩いて受枠や嵩上げ枠などを固定しているボルトを損傷させたり、ボルトから伝わる衝撃や振動でコンクリートにクラックを発生させたりする、というような問題を生じる。これを防止するため保護部材によりボルト端部を覆ったものがあり、先行技術の１例として特開平１０−６８１３６号の発明を挙げることができる。
【０００３】
しかし同発明の場合、固定ボルト全体を覆うに当たり固定部材及び固定ボルトの上端部分を保護キャップによって覆うけれどもキャップ自体は固定されていない。このため施工中に僅かな振動が加わっても保護キャップがずれたり倒れたりすることになる。保護キャップがずれてボルトに接触すると外力がボルトに伝わり、最早や保護の役目を果たすものとは言えなくなる。また保護キャップがボルト以外の固定部材にも接していることは、受枠等に加わる振動の影響を受け易くなり好ましいことではない。
【０００４】
【発明が解決しようとする課題】
本発明は前記の点に着目してなされたもので、その課題は地下構造物の施工中の振動や衝撃等によって、キャップがずれたり、倒れたりするのを防止し、ボルトを保護することである。また本発明の他の課題は取り付け及び取り外しが容易な地下構造物用ボルト端部の保護装置を提供することにある。
【０００５】
【課題を解決するための手段】
前記の課題を解決するため本発明は、地下構造物のボルト端部に捩じ入れキャップの取り付け位置を決める内方ナットと、ボルト端部に嵌める透孔を持ち、内方ナット又は外方ナットの係合部との係合により透孔の中心をボルトの軸心に一致させる心出し部並びにキャップの内側に嵌まり込んでキャップを固定する固定部を具備したキャップホルダーと、内方ナットとの間でキャップホルダーを挟んで固定するためボルト端部に捩じ入れた外方ナットと、ボルト端部を覆ってキャップホルダーの固定部に固定される前記キャップとによって地下構造物用ボルト端部の保護装置を構成したものである。
【０００６】
【発明の実施の形態】
本発明に係るボルト端部の保護装置は、ボルトの端部にキャップを取りつけ、外力からボルトを保護するものである。ボルトに振動やショックが加えられるのを防ぐことにより、ボルト自体の損傷を防止できるのは勿論のこと、ボルトと一体的な構造体になっているコンクリートのひび割れ防止などにも有効となる。
【０００７】
本装置には、まずキャップの取り付け位置を決める内方ナットが必要となる。内方ナットはボルト端部のより内方に捩じ入れられ、任意の位置に配置される。内方ナットはそれよりもボルト端部側に配置される外方ナットとともに、キャップホルダーを挟んで固定するためのダブルナットを構成する。内方ナット、外方ナットは上下方向に設置されるボルトを想定した場合には、上部ナット、下部ナットと言う方が適当である。しかし上下方向のボルトに本発明の装置が限られることはないので、下部ナットは内方のナット、上部ナットは外方のナットと言い換える方がより適当ということになる。
【０００８】
キャップホルダーは、ボルト端部に嵌める透孔を持つ。故に透孔部分でボルトに通せばキャップホルダーを下部ナットに接触支持させることができるが、キャップホルダーの厚さよりもボルトの谷間（ねじピッチ）が大きいためにキャップホルダーがボルトねじ間に入り込んでキャップホルダーの中心とボルトの軸心とがずれることを想定しなければならない。心ずれが起きるとキャップホルダーが片寄って、キャップの中心がボルトの軸心からずれ、キャップとボルトとが接触し易くなるからであり、心ずれ防止を図ることが必要となる。
【０００９】
そこで本発明では、内方ナット又は外方ナットの係合部との係合により透孔の中心とボルトの軸心とを一致させる心出し部をキャップホルダーに設ける。係合部は内方ナットのものでも良いし、また外方ナットのものでも良い。また係合部は、六角ナットや四角ナットの係合面、スパナ掛け面のほか、丸ナットなどの一部に設けた係合面、スパナ掛け面なども含む。
【００１０】
キャップホルダーは、さらに、キャップの内側に嵌まり込んでキャップを固定する固定部を具備する。嵌まり方は任意であるが、簡単に外れてしまうものでなくしかも取り外しが可能であることが望まれるので、例えば塑性変形や弾性変形によってキャップを固定可能なものが適している。このような固定部と係合部を有するキャップホルダーは金属板材を透孔とともに打ち抜き加工することで容易に形成され、１個又は２個以上を使用することができる。なお、固定部と心出し部とが同じ方向に向けて設けられる必要もない。
【００１１】
キャップはボルト端部を覆って保護できる大きさ、形状及び材質から成るものであることが必要である。例えば鋳造された肉厚の金属製キャップなどは好ましいものであるが、プラスチック成形品や金属のプレス加工品なども適当である。
【００１２】
【実施例】
以下図面を参照し本発明を実施例により詳細に説明する。図１において、１１はボルト、１２はその端部、１３は内方ナット、１４はキャップホルダー、１５は外方ナット、１６はキャップを夫々示す。１０はそれらより成るボルト端部の保護装置である。
【００１３】
実施例においてボルト１１は上下方向に配置されており、内方ナット１３及び外方ナット１５はボルト１１のおねじ１７に螺合可能なめねじ１８を有する。さらに内方ナット１３及び外方ナット１５は、共に所謂六角ナットであり各６箇所の係合部１９を有する。
【００１４】
キャップホルダー１４は、透孔２１、心出し部２２及び固定部２３を有する。例示のキャップホルダー１４は、比較的肉厚の金属板材を打ち抜き加工することによって形成されたもので、透孔２１を中心とする６片の突状部が６０度間隔で設けられ、中の１個おきの３片が心出し部２２、他３片が固定部２３となっている。即ち３片の心出し部２２が内方ナット１３の３箇所の係合部１９と係合することにより、透孔２１の中心、従ってキャップホルダー１４の中心をボルト１１の軸心と一致させるものである。
【００１５】
心出し部２２が外方ナット１５の係合部１９と係合するようにした場合でも同じ心出し効果を得ることができるのは既に説明したとおりである。また固定部２３はキャップ１６の内側部２４に固定される寸法だけ外方へ突出させて設けられる。例示の場合、キャップを上（外）方から固定部２３周りに押し込んで取り付ける方法を取るので固定部２３の端部を外へ開いて傾斜させた形態を取っている（図２参照）。
【００１６】
キャップ１６はコップを伏せたような外観を有しており、ボルト端部１２から内方ナット１３までを収められる内部空間を有する。キャップ１６の内側部２４は固定部２３の固定相手となる箇所であるので粗面で良い。例示のキャップ１６は鋳鉄を用いて鋳造された肉厚のものであり、このため十分な強度があり、かつ価格も比較的安価である上、ステンレス鋼板を打ち抜いて製造されるような固定部２３との固定関係も良好な鋳肌を持つものとなる。なお実施例ではボルト１１の径が１６ｍｍ、おねじ１７のピッチが２ｍｍ、キャップホルダー１４の板厚が１ｍｍであった。
【００１７】
図３に本装置１０の使用例が示されており、例示の場合には地下構造物であるマンホールを構築するための側塊２５の上に嵩上げ手段２６として設けられた弾性変形可能な高さ調整子をボルト１１に通し、所望の高さに圧縮調整する高さ調整装置の一部としても本装置１０が作用している。嵩上げ手段２６によって、マンホール蓋受け枠２７がフランジ部２８で支えられており、受け枠２７の上部に本装置１０が配置され、内方ナット１３が受け枠２７の高さを決める部材として使われている。
【００１８】
故に、嵩上げ終了後に受枠固定用でもあるボルト１１にキャップホルダー１４を通して内方ナット１３の上に乗せ、さらに外方ナット１５とのダブルナットでキャップホルダー１４を締め付ける。その後キャップ１６を上方からボルト端部１２にかぶせ、固定部２３の抵抗に抗して押し込み、取り付けを終える。キャップ１６はキャップホルダー１４に接するので外力からボルト１１を守り、また必要があれば取り外すことも可能である。
【００１９】
【発明の効果】
本発明は以上の如く構成されかつ作用するものであるから、施工中の振動や衝撃によって、キャップがずれたり倒れたりすることを防止し、ボルト端部を保護することができるという効果を奏する。また本発明によれば、キャップホルダーをダブルナットで締め付け、最後にキャップを押し込めば良いので特にマンホール蓋受枠の施工工事等において容易に実施することができ、また取り付けのみならず取り外しも容易であるという特徴を有する。
【図面の簡単な説明】
【図１】  本発明に係る地下構造物用ボルト端部の保護装置の実施例１を示す分解斜視図。
【図２】  （ａ）キャップホルダーの平面図。
（ｂ）正面図。
（ｃ）中央断面図。
【図３】  本装置の適用例を示す断面図。
【符号の説明】
１１  ボルト
１２  ボルトの端部
１３  内方ナット
１４  キャップホルダー
１５  外方ナット
１６  キャップ
２１  透孔
２２  心出し部
２３  固定部
【図１】
0003660594.tif 000002
【図２】
0003660594.tif 000003
【図３】
0003660594.tif 000004